(57)【要約】【課題】  当発明の課題は、放射能汚染に対して、屋外の除染に多くの期待が出来ない状況の中で、屋内の放射線量を低減化させるための装置であり、放射線量低減化の機能向上ばかりではなく、多くの被災者に提供できるためにいかに低コストを実現できるかが課題である。【解決手段】  自分の命は自分が守る気持ちを抱きながら、見栄えや便利さばかりを探求するのではなく、放射能汚染から身を守る手段として低コストで当装置を採用することが解決と思われる。【選択図】なし【特許請求の範囲】
【請求項１】
木製の薄板パネルと、木製の薄板パネルを、下部の床材と両サイドの枠材に貼り合わせたボックスであり、ボックスの隙間にオガ粉と潮解性物質を混ぜて入れた放射線吸湿装置。
【請求項２】
請求項１において、木製の薄板に潮解性物質を含浸させた放射線吸湿装置。
【請求項３】
請求項１及び請求項２において、潮解性薬剤が塩化カルシウムである放射線吸湿装置。
【請求項４】
請求項１及び請求項２において、潮解性の物質が、塩化カルシウムであるか、あるいは酸化カルシウム、臭化カルシウム、炭酸カルシウム、金属カルシウム、チタン酸カルシウム、ケイ酸カルシウム、ヨウ化カルシウム、硝酸カルシウム、亜硝酸カルシウム、チオシアン酸カルシウム、塩化マグネシウム、酸化マグネシウム、臭化マグネシウム、炭酸マグネシウム、ケイ酸マグネシウム、酢酸マグネシウム、塩素酸マグネシウム、過塩素酸マグネシウム、ヨウ化マグネシウム、硝酸マグネシウム、酸化ストロンチウム、酸化ランタン、ナトリウムフェノラート、次亜リン酸ナトリウム、硫化水素ナトリウム、硫化ナトリウム、チオ炭酸ナトリウム、チオシアン酸ナトリウム、過塩素酸ナトリウム、水酸化ナトリウム、塩化ナトリウム、臭化ナトリウム、無水硫酸ナトリウム、五酸化リン、トリエチレングリコール、ポリエチレングリコール、ジエチレングリコール、炭酸リチウム、水酸化リチウム、臭化リチウム、塩化リチウム、金属リチウム、硼酸リチウム、弗化リチウム、酢酸リチウム、ケイ酸リチウム、次亜塩素酸リチウム、ノルマルブチルリチウム、セカンダリーブチルリチウム、塩素酸リチウム、サリチル酸リチウム、硫化リチウム、塩化ストロンチウム、水素化ストロンチウム、水酸化アルミニウム、水素化アルミニウム、塩化アルミニウム、硫酸カリウムアルミニウム、塩化カリウム、臭化カリウム、水酸化カリウム、ヨウ化カリウム、ギ酸カリウム、炭酸水素アンモニウム、三クエン酸アンモニウム、フッ化アンモニウム、ギ酸アンモニウム、塩化アンモニウム、塩化アンモニウムマグネシウム、プロピオン酸アンモニウム、スルファミン酸アンモニウム、チオシアン酸アンモニウム、硫化アンモニウム、リン酸水素二アンモニウム、リン酸水素アンモニウム、リン酸アンモニウム、リン酸グアニジン、スルファミン酸グアニジン、リン酸、塩化コバルト、二酢酸コバルト、二臭化コバルト、二塩素酸コバルト、二過塩素酸コバルト、二ヨウ化コバルト、グリセリン、尿素、塩化亜鉛、塩化鉄、硫酸鉄、硫酸銅、二臭化銅、二塩素酸銅、二過塩素酸銅、過塩素酸銀、フルオロケイ酸銅、二硝酸銅、塩化パラジウム、塩化バリウム、酸化バリウム、ヨウ化バリウム、臭化バリウム、チオシアン酸バリウム、硝酸バリウム、ヨウ化セシウム、塩化セシウム、水酸化セシウム、炭酸セシウム、フッ化セシウム、二塩化マンガン、四臭化チタン、三塩化チタン、過塩素酸亜鉛、塩化亜鉛、チオシアン酸亜鉛、あるいはリボースのいずれか、または２種以上を混合したものである放射線吸湿装置。
【発明の詳細な説明】
【技術分野】
【０００１】    本発明は、福島県等における放射能汚染の地域に必要な放射線量低減化パネル装置であり、この装置を部屋内部に取り付けることにより、部屋内部の湿気に吸着されている放射線を吸収することにより、屋内の放射線量を著しく低下させる。
【背景技術】
【０００２】    平成２３年１２月に「除染等の措置に係るガイドライン」第１版を環境省が発表した。環境省の除染ガイドラインの概要は以下である。「建物等の工作物の効果的な除染を行うためには、放射線量への寄与の大きい比較的高い濃度で汚染された場所を中心に除染作業を実施する必要があります。例えば、家屋や公共的な建物の屋根（屋上）や雨樋、側溝等には、放射性セシウムを含む落葉、苔、泥等が付いていますので、これらを除去することにより、放射線量の低減が図られます。」【０００３】    「除染の段階としては、まず、放射性セシウムが多く含まれている落葉等、手作業で比較的容易に除去できるものを取り除き、それでも除染効果が見られない場合、水での洗浄が可能な対象物については放水等による洗浄を行います。なお、洗浄等による排水による流出先への影響を極力避けるため、水による洗浄以外の方法で除去できる放射性物質は可能な限りあらかじめ除去する等、工夫を行うものとします。また、家屋や建物の除染作業で水を使用した場合など、放射性物質が庭等に移動する可能性を考慮し、除染作業は基本的に高所から低所の順序で行います。具体的には、屋根・屋上や雨樋、外壁、庭等の地面の順で、実施するのが効率的です。家屋の近傍に屋根よりも高い樹木がある場合は、最初に樹木の除染を行います。除去土壌等については適切に取り扱い、現場保管もしくは仮置場へ運搬します。現場保管や仮置場への運搬については、「除去土壌の保管に係るガイドライン」や「除去土壌の収集・運搬に係るガイドライン」を参照ください。また、除染作業を行う際は、除染に伴う飛散、流出などによる汚染の拡大を防ぐための措置を講じて、作業区域外への汚染の持ち出し、外部からの汚染の持ち込み、除染した区域の再汚染をできるだけ低く抑えることが必要です。屋根等の除染（主に落葉等の除去、洗浄）、屋根等に落葉、苔、泥等の堆積物がある場合は、これらに放射性セシウムが付着している可能性があります。このため、まず、取り除きやすい堆積物を、手作業や厚手の紙タオルでの汚れの拭取りや、水を散布した上でデッキブラシやタワシ等を用いたブラッシング洗浄を行うことによって除去します。それでも除染の効果が見られない場合は、屋根材に放射性セシウムが付着していると考えられますが、降雨で流れ落ちなかった放射性セシウムは屋根材に浸透しているため、高圧（例：１５Ｍｐａ）の放水洗浄（以下「高圧洗浄」）を行うことによって流し落とします。この際、屋根の重ね合わせ部や金属が腐食している部分、大きな建物の屋上の排水口周りには堆積物が比較的多く付着しているため、念入りに洗浄します。屋根等の表面の素材により高圧洗浄による除染効果は異なりますので、まず部分的に洗浄を行って、除染効果があることを確認した上で全体の洗浄を行います。高圧洗浄を行うと、放射性物質を含む排水が発生しますので、流出先への影響を極力避けるため、できる限り排水の回収を行います。」これが背景の概要である。
【発明の概要】
【発明が解決しようとする課題】
【０００４】    東京電力福島第一原発事故に伴う除染作業で出る放射性物質が付着した土壌の仮置き場について、政府は年間被ばく線量が２０ミリシーベルト以下の地域は市町村内に設けるよう求めているが、中間貯蔵施設の方向性は明確にされず、市町村では仮置き場の設置すらほとんど決まっていない。つまり、国のガイドライン通りの除染が困難な状況である。【０００５】    また、環境省の除染ガイドラインがあるにもかかわらず、１家屋に約６人のチームが２〜３日間もの多くの時間をかけて除染を実施しているため、国の予想をはるかに遅れながら進行している。更に問題視されているのが、ガイドラインを無視して、受託除染業者は、屋根での高圧洗浄された水を撒き散らすだけで、汚染水は屋根から地面に移動しただけの除染を行い、よって、屋根は除染されたものの、家周辺の放射線量は逆に高まり、最も必要とする家屋内の放射線量の低減化は何もされていない。【０００６】    よって、屋外における放射線の低減化が困難である実態から、発明者は、屋外の除染に期待するよりも屋内の放射線低減化が出来ないかと考えた。【０００７】    放射能汚染地域の家屋の屋根には多量の放射性物質が付着している。付着している場所は瓦と瓦の隙間や、屋根のあらゆる構造内の隙間や未接着部分に入り込んで付着しており、通常の高圧洗浄だけでは十分取り除くことが困難である。【０００８】    屋根のいたるところに忍び込んでいる放射性物質からは屋根の下の生活環境の中に対して容赦なく放射線を放つ。発明の目的は、屋外除染のように多額の費用をかけても効果的な除染を得られないこと、また屋外除染の解決には放射能汚染物質の廃棄場所がなければならないが、いまだに困難である現状から、屋内に対して、安価で、長期間の稼働が可能で、放射線を現状の半分以下まで低減化が出来る装置が開発出来ないか。これが、発明が解決しようとする課題である。
【課題を解決するための手段】
【０００９】    問題は、当発明の放射線吸着装置が放射線を吸着した時に、同時に放射性物質をも吸着するかであるが、当装置が放射性物質を吸着しない、つまり当装置が放射能汚染源にはならないことが以下に説明されている。【００１０】    体にあたった放射線は、どうなるのか？放射線は体内に残るのか？東京大学医学部放射線健康管理学教室での研究者であった放射線防護学の専門家である安斉育郎博士の説明を記します。「私たちが浴びるのは、放射能をもった原子が別の種類の原子に代わるときに出す放射線です。放射線には、アルファ線・ベータ線・ガンマ線等の種類がありますが、いずれも、アルファ粒子が電子や光子のような粒子が高速度で飛んでいるものです。たとえば、コバルト６０という放射性原子は、ベータ線とガンマ線を出してニッケル６０に変化しますので、コバルト６０線源のそばにいると、これらの放射線を浴びることになります。ベータ線の方は透過力が弱いので、普通は、コバルト６０を入れてある容器の壁材などに吸収されてしまいますから、周囲にいる人が浴びるのはガンマ線です。ガンマ線は、私たちの体にズバットと飛び込んで来て、ところどころに微細な傷痕を残します。これらの傷痕を残す過程でガンマ線のエネルギーが全部吸収されてしまえば、ガンマ線はそこで消え失せます。しかし、時には、一部のエネルギーだけを体内で失って、少しエネルギーの弱いガンマ線になって対外に突き抜けていくこもあります。いずれにしても、ガンマ線が体にあたった結果残るのは、ガンマ線がところどころの細胞に残した微細な傷痕だけであって、体が放射能をおびるわけではありません。」【００１１】    「ガンマ線は、波長が極端に短い光のようなもので、電気をおびていませんから、アルファ線やベータ線とはいささか反応の様子が違います。まず、光電効果とか、コンプトン効果とか、電子対生成といった反応を起こしてガンマ線のエネルギーが電子にあたえられ、そのようにして飛び出した二次電子が、ベータ線と同じようにさらに電離を誘発していくのです。このように見てくると、体に当たった放射線はズバッと飛んで微細な傷痕だけを残し、ご本体はいつまでもウロついていないで放射線ではなくなってしまいます。つまり、放射線は体内に残る訳ではないのです。」【００１２】    原子炉中の燃料体は核分裂を行う本体であるが、冷却水により冷却されている。冷却水は強力な放射線に曝されているにもかかわらず放射能汚染はされない。これと、前記の安斉博士の説明を元に、屋内の湿気（水滴）が屋根や周囲から放射される放射線を吸収し、更に、放射線を吸着した湿気が本装置に吸着される。この現象を２４時間持続させることで屋内の放射線量が低減化出来ることに到達した。
【発明の効果】
【００１３】    本発明のうち請求項１に係る発明においては、木製の薄板パネルと、木製の薄板パネルを、下部の床材と両サイドの枠材に貼り合わせたボックスであり、出来るだけ安価に生産できるよう全て木製にした。また、ボックスの隙間にオガ粉と潮解性物質を混ぜて入れることにより、吸湿性を高めることが可能となった放射線吸湿装置である。【００１４】    本発明のうち請求項１と同時に請求項２にも係る発明として、オガ粉だけではなく、木製の薄板にも潮解性物質を含浸させることにより、更に吸湿性を高めて機能を向上させた放射線吸湿装置である。【００１５】    本発明のうち請求項３に係る発明として、潮解性物質に塩化カルシウムを採用する理由は、塩化カルシウムを採用することで安く生産することが可能であるからである。【００１６】    本発明のうち請求項４に係る発明として、潮解性の物質が、塩化カルシウムであるか、あるいは酸化カルシウム、臭化カルシウム、炭酸カルシウム、金属カルシウム、チタン酸カルシウム、ケイ酸カルシウム、ヨウ化カルシウム、硝酸カルシウム、亜硝酸カルシウム、チオシアン酸カルシウム、塩化マグネシウム、酸化マグネシウム、臭化マグネシウム、炭酸マグネシウム、ケイ酸マグネシウム、酢酸マグネシウム、塩素酸マグネシウム、過塩素酸マグネシウム、ヨウ化マグネシウム、硝酸マグネシウム、酸化ストロンチウム、酸化ランタン、ナトリウムフェノラート、次亜リン酸ナトリウム、硫化水素ナトリウム、硫化ナトリウム、チオ炭酸ナトリウム、チオシアン酸ナトリウム、過塩素酸ナトリウム、水酸化ナトリウム、塩化ナトリウム、臭化ナトリウム、無水硫酸ナトリウム、五酸化リン、トリエチレングリコール、ポリエチレングリコール、ジエチレングリコール、炭酸リチウム、水酸化リチウム、臭化リチウム、塩化リチウム、金属リチウム、硼酸リチウム、弗化リチウム、酢酸リチウム、ケイ酸リチウム、次亜塩素酸リチウム、ノルマルブチルリチウム、セカンダリーブチルリチウム、塩素酸リチウム、サリチル酸リチウム、硫化リチウム、塩化ストロンチウム、水素化ストロンチウム、水酸化アルミニウム、水素化アルミニウム、塩化アルミニウム、硫酸カリウムアルミニウム、塩化カリウム、臭化カリウム、水酸化カリウム、ヨウ化カリウム、ギ酸カリウム、炭酸水素アンモニウム、三クエン酸アンモニウム、フッ化アンモニウム、ギ酸アンモニウム、塩化アンモニウム、塩化アンモニウムマグネシウム、プロピオン酸アンモニウム、スルファミン酸アンモニウム、チオシアン酸アンモニウム、硫化アンモニウム、リン酸水素二アンモニウム、リン酸水素アンモニウム、リン酸アンモニウム、リン酸グアニジン、スルファミン酸グアニジン、リン酸、塩化コバルト、二酢酸コバルト、二臭化コバルト、二塩素酸コバルト、二過塩素酸コバルト、二ヨウ化コバルト、グリセリン、尿素、塩化亜鉛、塩化鉄、硫酸鉄、硫酸銅、二臭化銅、二塩素酸銅、二過塩素酸銅、過塩素酸銀、フルオロケイ酸銅、二硝酸銅、塩化パラジウム、塩化バリウム、酸化バリウム、ヨウ化バリウム、臭化バリウム、チオシアン酸バリウム、硝酸バリウム、ヨウ化セシウム、塩化セシウム、水酸化セシウム、炭酸セシウム、フッ化セシウム、二塩化マンガン、四臭化チタン��三塩化チタン、過塩素酸亜鉛、塩化亜鉛、チオシアン酸亜鉛、あるいはリボースのいずれか、または２種以上を混合したものを請求項に加えた理由は、これらが放射性物質に反応する化合物ばかりであり、本装置の性能を向上させることが出来るからである。
【発明を実施するための形態】
【００１７】    本装置は室内の吸湿が重要ポイントであるため、本装置を設置する場所を選定する必要がある。場所は出来るだけ閉鎖している部屋であることである。
【実施例】
【００１８】    本発明を実施するために、平成２３年１０月２７日から平成２４年６月３日までの約７カ月間において、屋内における放射線低減化を試験した。試験場所は、福島県郡山市池の台地区のＴ邸である。【００１９】
【表１】
2014006228.tif 000002
【００２０】
【表２】
2014006228.tif 000003
【００２１】
【表３】
2014006228.tif 000004
【産業上の利用可能性】
【００２２】    東京電力第１原子力発電所の事故による放射能汚染は、福島県だけではなく、低線量を考慮すれば、日本全国に汚染が拡大していると言われる。福島県では幼少の子供を持つ家族の一部は他県に移住したが、ほとんどの福島県人は県内にとどまっている。彼らの不安は計り知れないものがある。放射性物資の半減期が３０年と言われているが、半減後も放射能汚染は続く。福島県の地形は、中央地帯に都会が集中しており、山脈に囲まれている。山脈に落ちた放射性物質は強風により中央地帯に動き、屋外の除染をいくらやっても、線量は戻ってしまう。このような厳しい福島県の環境の中で、屋内の除染しか期待が持てないのが現実となっている。このような状況下における利用可能性は大であると思われる。